(57)【要約】  【課題】簡単な操作により複数のトラックに記憶された映像を一つの画面上に表示するように編集することができる映像編集プログラムを提供すること。【解決手段】合成画面１０１の下側には、ユーザがマウスを使用することにより分割点を任意に設定することができる分割点設定スライダー１０２が表示され、この分割点設定スライダー１０２の位置を調整することにより分割点が移動する。メイントラック表示画面１１２には、メイントラックの映像が表示されるとともに、合成画面の分割線の右側に形成された分割領域の形状が表示されている。ここでは、分割領域内に表示される領域が表示され、それ以外の部分は、ハッチングを施して表示される。このメイントラック表示画面１１２の下側には、表示領域位置設定スライダー１１１が表示され、同様にマウスによりスライダーの位置を調整することにより表示領域の位置を左右に移動設定することができる。  【選択図】    図２
2005303932.tif 000002
【特許請求の範囲】
【請求項１】
一つの画面を複数の領域に分割し、その分割された分割領域それぞれに異なる映像を表示するように映像を編集する映像編集プログラムにおいて、
分割領域の形状を設定する分割領域形状設定ステップと、
その分割領域形状設定ステップにより設定された複数の分割領域のうち、少なくとも一の分割領域に表示されるトラックの映像中の、前記分割領域に表示される表示領域を設定するトラック表示領域設定ステップと、
前記分割領域形状設定ステップにより設定された分割領域の形状に応じて画面を分割し、その分割された領域に前記トラック表示領域設定ステップにより設定された領域の映像を表示する合成画面表示ステップと、
前記分割領域に表示されるトラックの映像と、その映像のうち前記合成画面の分割領域に表示される領域とを表示するトラック画面表示ステップとを備えていることを特徴とする映像編集プログラム。
【請求項２】
前記分割領域形状設定ステップは、画面を左右、または上下に分割する分割点を示すパラメータを設定する分割点設定ステップを有することを特徴とする請求項１に記載の映像編集プログラム。
【請求項３】
前記トラック表示領域設定ステップは、前記分割領域形状設定ステップにより設定された分割領域に表示されるトラックの映像中の前記分割領域に表示される表示領域の位置を示すパラメータを設定する表示領域設定ステップを有することを特徴とする請求項１または２に記載の映像編集プログラム。
【請求項４】
前記合成される複数トラックの映像の同期するフレームを指定するフレーム指定ステップをさらに備え、再生が指示された場合には、前記フレーム指定ステップにより指定された複数トラックの同期するフレームに基づいて複数のトラックが同期して再生され、前記合成画面に表示されることを特徴とする請求項１から３のいずれかに記載の映像編集プログラム。
【請求項５】
前記合成される複数トラックの映像の所定のフレームに対応して前記分割領域形状設定ステップにより設定される分割領域形状を示すパラメータおよび前記トラック画面領域設定ステップにより設定されるトラックの表示領域の位置を示すパラメータを記憶する記憶ステップと、
前記記憶ステップにより記憶された分割領域形状を示すパラメータおよびトラックの表示領域の位置を示すパラメータとに基づいて、連続する複数の映像を合成する合成ステップとをさらに備えていることを特徴とする請求項１から４のいずれかに記載の映像編集プログラム。
【請求項６】
前記合成ステップは、第１のフレームに対応して記憶された分割領域形状を示すパラメータおよびトラックの表示領域の位置を示すパラメータと、その第１のフレームに連続する第２のフレームに対応して記憶された分割領域形状を示すパラメータおよびトラックの表示領域の位置を示すパラメータとに基づいて第１のフレームと第２のフレームの間の各フレームについて分割領域形状を示すパラメータおよびトラックの表示領域の位置を示すパラメータとを補間により設定し、複数のトラックの映像を合成するものであることを特徴とする請求項５記載の映像編集プログラム。
【請求項７】
前記分割領域形状設定ステップにより設定される分割領域形状を示すパラメータおよびトラック画面領域設定ステップにより設定される分割画面領域の位置を示すパラメータに基づいて複数トラックの映像を合成する際、トラックの表示領域がトラックの映像がない部分を含まないように制御する制御ステップをさらに備えていることを特徴とする請求項１から６のいずれかに記載の映像編集プログラム。
【発明の詳細な説明】
【技術分野】
【０００１】
本発明は、一つの画面を複数の領域に分割し、それぞれの領域に異なるトラックの映像を表示するように編集する映像編集プログラムに関する。
【背景技術】
【０００２】
複数のカメラで同時に撮影した映像を一つの画面上に表示するマルチ画面のテレビジョン受像器が知られている。特開２０００−２３０３０号公報（特許文献１）には、デジタルテレビジョン放送により互いに関連性のある映像が複数のチャンネルで放映され、ユーザが自在にマルチ画面を構成して表示することができる映像信号表示装置が開示されている。
【特許文献１】特開２０００−２３０３０号公報
【発明の開示】
【発明が解決しようとする課題】
【０００３】
複数のビデオカメラで同時に録画した映像を一つの画面上に表示するように編集するとスポーツなどの動きを把握することが容易になり、スポーツを教授する教材として有用である。例えば、スキー競技では競技者を左側から録画した映像を画面の左半分に、右側から録画した映像を右半分に表示すると競技者の動きを把握することが容易になる。
【０００４】
しかしながら、従来、このような複数トラックに記憶された映像の編集を容易に行うことができる映像編集装置あるいは映像編集プログラムが提供されていなかった。
【０００５】
本発明は、上記問題点を解決するためになされたもので、簡単な操作により複数のトラックに記憶された映像を一つの画面上に表示するように編集することができる映像編集プログラムを提供することを目的とする。
【課題を解決するための手段】
【０００６】
上記の目的を達成するために、本発明の請求項１記載の映像編集プログラムは、一つの画面を複数の領域に分割し、その分割された分割領域それぞれに異なるトラックの映像を表示するように映像を編集する映像編集プログラムであって、分割領域の形状を設定する分割領域形状設定ステップと、その分割領域形状設定ステップにより設定された複数の分割領域のうち、少なくとも一の分割領域に表示されるトラックの映像中の、前記分割領域に表示される表示領域を設定するトラック表示領域設定ステップと、前記分割領域形状設定ステップにより設定された分割領域の形状に応じて画面を分割し、その分割された領域に前記トラック表示領域設定ステップにより設定された領域の映像を表示する合成画面表示ステップと、前記分割領域に表示されるトラックの映像と、その映像のうち前記合成画面の分割領域に表示される領域とを表示するトラック画面表示ステップとを備えている。
【０００７】
請求項２記載の映像編集プログラムは、請求項１記載の映像編集プログラムにおいて、前記分割領域形状設定ステップは、画面を左右、または上下に分割する分割点を示すパラメータを設定する分割点設定ステップを有するものである。
【０００８】
請求項３に記載の映像編集プログラムは、請求項１または２記載の映像編集プログラムにおいて、前記トラック表示領域設定ステップは、前記分割領域形状設定ステップにより設定された分割領域に表示されるトラックの映像中の前記分割領域に表示される表示領域の位置を示すパラメータを設定する表示領域設定ステップを有するものである。
【０００９】
請求項４に記載の映像編集プログラムは、請求項１から３のいずれかに記載の映像編集プログラムにおいて、前記合成される複数トラックの映像の同期するフレームを指定するフレーム指定ステップをさらに備え、再生が指示された場合には、前記フレーム指定ステップにより指定された複数トラックの同期するフレームに基づいて複数のトラックが同期して再生され、前記合成画面に表示されるものである。
【００１０】
請求項５に記載の映像編集プログラムは、請求項１から４のいずれかに記載の映像編集プログラムにおいて、前記合成される複数トラックの映像の所定のフレームに対応して前記分割領域形状設定ステップにより設定される分割領域形状を示すパラメータおよび前記トラック画面領域設定ステップにより設定されるトラックの表示領域の位置を示すパラメータを記憶する記憶ステップと、前記記憶ステップにより記憶された分割領域形状を示すパラメータおよびトラックの表示領域の位置を示すパラメータとに基づいて、連続する複数の映像を合成する合成ステップとをさらに備えている。
【００１１】
請求項６に記載の映像編集プログラムは、請求項５に記載の映像編集プログラムにおいて、前記合成ステップは、第１のフレームに対応して記憶された分割領域形状を示すパラメータおよびトラックの表示領域の位置を示すパラメータと、その第１のフレームに連続する第２のフレームに対応して記憶された分割領域形状を示すパラメータおよびトラックの表示領域の位置を示すパラメータとに基づいて第１のフレームと第２のフレームの間の各フレームについて分割領域形状を示すパラメータおよびトラックの表示領域の位置を示すパラメータとを補間により設定し、複数のトラックの映像を合成するものである。
【００１２】
請求項７記載の映像編集プログラムは、請求項１から６のいずれかに記載の映像編集プログラムにおいて、前記分割領域形状設定ステップにより設定される分割領域形状を示すパラメータおよびトラック画面領域設定ステップにより設定される分割画面領域の位置を示すパラメータに基づいて複数トラックの映像を合成する際、トラックの表示領域がトラックの映像がない部分を含まないように制御する制御ステップをさらに備えている。
【発明の効果】
【００１３】
請求項１記載の映像編集プログラムによれば、一つの画面を複数の領域に分割し、その分割された分割領域それぞれに異なるトラックの映像を表示するように映像を編集する映像編集プログラムであって、分割領域の形状を設定する分割領域形状設定ステップと、その分割領域形状設定ステップにより設定された複数の分割領域のうち、少なくとも一の分割領域に表示されるトラックの映像中の、前記分割領域に表示される表示領域を設定するトラック表示領域設定ステップと、分割領域形状設定ステップにより設定された分割領域の形状に応じて画面を分割し、その分割された領域に前記トラック表示領域設定ステップにより設定された領域の映像を表示する合成画面表示ステップと、分割領域に表示されるトラックの映像と、その映像のうち前記合成画面の分割領域に表示される領域とを表示するトラック画面表示ステップとを備えているので、一つの画面を任意の形状に分割することができるとともに、その分割された領域にトラックの任意の領域を表示することができるので、簡単な操作で容易に編集することができるという効果がある。
【００１４】
また、合成画面上で分割領域の形状が変更されると、トラック画面のうちの合成画面に表示される領域が変更表示されるので、分割領域の形状の設定やトラック画面上での領域設定を容易に行うことができる。
【００１５】
請求項２記載の映像編集プログラムによれば、請求項１記載の映像編集プログラムの奏する効果に加え、分割領域形状設定ステップは、画面を左右、または上下に分割する分割点を示すパラメータを設定する分割点設定ステップを有するものであるので、簡単な操作で分割領域を設定することができるという効果がある。
【００１６】
請求項３に記載の映像編集プログラムによれば、請求項１または２記載の映像編集プログラムの奏する効果に加え、トラック表示領域設定ステップは、分割領域形状設定ステップにより設定された分割領域に表示されるトラックの映像中の前記分割領域に表示される表示領域の位置を示すパラメータを設定する表示領域設定ステップを有するものであるので、簡単な操作でトラックの表示領域を設定することができるという効果がある。
【００１７】
請求項４に記載の映像編集プログラムによれば、請求項１から３のいずれかに記載の映像編集プログラムの奏する効果に加え、合成される複数トラックの映像の同期するフレームを指定するフレーム指定ステップをさらに備え、再生が指示された場合には、前記フレーム指定ステップにより指定された複数トラックの同期するフレームに基づいて複数のトラックが同期して再生され、前記合成画面に表示されるものであるので、複数トラックの映像のフレームを任意に指定し、同期して再生することができるという効果がある。
【００１８】
請求項５に記載の映像編集プログラムによれば、請求項１から４のいずれかに記載の映像編集プログラムの奏する効果に加え、合成される複数トラックの映像の所定のフレームに対応して分割領域形状設定ステップにより設定される分割領域形状を示すパラメータおよびトラック画面領域設定ステップにより設定されるトラックの表示領域の位置を示すパラメータを記憶する記憶ステップと、記憶ステップにより記憶された分割領域形状を示すパラメータおよびトラックの表示領域の位置を示すパラメータとに基づいて、連続する複数のフレームの映像を合成する合成ステップとをさらに備えているので、多数のフレームに渡って逐一設定しなくても合成編集できるという効果がある。
【００１９】
請求項６に記載の映像編集プログラムによれば、請求項５に記載の映像編集プログラムの奏する効果に加え、合成ステップは、第１のフレームに対応して記憶された分割領域形状を示すパラメータおよびトラックの表示領域の位置を示すパラメータと、その第１のフレームに連続する第２のフレームに対応して記憶された分割領域形状を示すパラメータおよびトラックの表示領域の位置を示すパラメータとに基づいて第１のフレームと第２のフレームの間の各フレームについて分割領域形状を示すパラメータおよびトラックの表示領域の位置を示すパラメータとを補間により設定し、複数のトラックの映像を合成するものであるので、多数の連続するフレームの両側のフレームの分割領域形状と表示領域のパラメータを設定するだけで、両フレーム間のフレームについては補間したパラメータにより合成編集できるという効果がある。
【００２０】
請求項７記載の映像編集プログラムによれば、請求項１から６のいずれかに記載の映像編集プログラムの奏する効果に加え、分割領域形状設定ステップにより設定される分割領域形状を示すパラメータおよびトラック画面領域設定ステップにより設定される分割画面領域の位置を示すパラメータに基づいて複数トラックの映像を合成する際、トラックの表示領域がトラックの映像がない部分を含まないように制御する制御ステップをさらに備えているので、映像が含まれない画像が表示されるのを防止することができるという効果がある。
【発明を実施するための最良の形態】
【００２１】
以下、本発明の好ましい実施例について、添付図面を参照して説明する。図１は、本発明の実施例における映像編集装置１の電気的構成を示すブロック図である。
【００２２】
この映像編集装置１は、ＣＰＵ１１と、ＣＰＵ１１が実行する制御プログラムや各種データなどを記憶する読出し専用のメモリであるＲＯＭ１２と、ＣＰＵ１１が制御プログラムを実行する際に各種データを一時記憶するレジスタ群などを設定したワークエリアやキーフレーム記憶領域を有するＲＡＭ１３と、ユーザが映像の編集を行う際にモードを指定したり各種パラメータを設定するマウスなどの操作子１４と、ハードディスク等により構成され映像データを記憶する映像記憶装置１５と、映像データをビデオカメラやビデオレコーダーなどの外部機器と入出力する映像信号インターフェース１６と、映像データの表示や編集画面が表示される液晶モニタなどの表示器１７およびビデオＲＡＭを有する表示回路１８と、これらの各構成間を接続してデータの送受を行う経路としてのバス１０とを主に備えている。
【００２３】
映像記憶装置１５には、複数のトラックの映像が記憶され、任意に指定したトラックを再生することができる。ここでは、あるトラックをメイントラックと指定し、他のトラックをインサートトラックとして指定しているものとする。インサートトラックは、メイントラックに同期して再生されるものである。
【００２４】
映像信号インターフェース１６は、ビデオ信号の入出力を行うインターフェースで、テレビ放送で用いられる、アナログやデジタルのコンポジットあるいはＲＧＢ信号を入出力するもので、デジタル伝送方式としてはＩＥＥＥ１３９４などがその代表である。
【００２５】
図２は、画面を左右に２分割し、左側の分割画面には、インサートトラックを、右側の分割画面には、メイントラックを表示するように編集する編集画面を示す図である。この画面には、合成結果を表示する合成画面１０１と、メイントラックの映像を表示するメイントラック表示画面１１２と、インサートトラックの映像を表示するインサートトラック表示画面１１４と各種アイコンが表示されている。
【００２６】
合成画面１０１の下側には、ユーザがマウスを使用することにより分割点を任意に設定することができる分割点設定スライダー１０２が表示され、この分割点設定スライダー１０２の位置を調整する（スライダー上に表示されている白抜き三角上にカーソルを移動しマウスによりドラッグする）ことにより分割点が移動し、合成画面は分割点に応じた位置で左右に分割される。
【００２７】
メイントラック表示画面１１２には、メイントラックの映像が表示されるとともに、合成画面の分割線の右側に形成された分割領域の形状が表示されている。ここでは、分割領域内に表示される領域が表示され、それ以外の部分は、ハッチングを施して表示されている。
【００２８】
このメイントラック表示画面１１２の下側には、表示領域位置設定スライダー１１１が表示され、同様にマウスによりスライダーの位置を調整することにより、表示領域の位置を左右に移動設定することができる。
【００２９】
同様に、インサートトラック表示画面１１４においても、インサートトラックの映像が表示されるとともに、合成画面の分割線の左側に形成された分割領域の形状が表示される表示領域が表示され、それ以外の部分は、ハッチングを施して表示されている。
【００３０】
このインサートトラック表示画面１１４の下側には、表示領域位置設定スライダー１１３が表示され、同様にマウスによりスライダーの位置を調整することにより、表示領域の位置を左右に移動設定することができる。
【００３１】
なお、分割点設定スライダー１０２によりパラメータＭＰが、表示領域位置設定スライダー１１１によりパラメータＡが、表示領域位置設定スライダー１１３によりパラメータＢがそれぞれ設定され、これら３つのパラメータを総称してスプリットパラメータという。
分割点設定スライダー１０２がスライダー左端に設定されているとき、パラメータＭＰは、０．０、中央位置で０．５、右端で１．０の値をとる。表示領域位置設定スライダー１１１および表示領域位置設定スライダー１１３が、左端に設定されているとき、パラメータＡ、Ｂは、−１．０、中央位置で０．０、右端で１．０の値をとる。
【００３２】
図３は、分割点設定スライダー１０２を中央位置に設定し（ＭＰ＝０．５）、表示領域位置設定スライダー１１１および表示領域位置設定スライダー１１３を中央位置に設定した場合（Ａ＝０、Ｂ＝０）の合成画面１０１、メイントラック表示画面１１２、インサートトラック表示画面１１４を示す図である。この場合には、メイントラック表示画面１１２の右半分の映像が合成画面１０１の右半分に表示され、インサートトラック表示画面１１４の左半分の映像が合成画面１０１の左半分に表示される。この状態では、各トラックのスキー競技者がそれぞれの表示領域の中央に位置していない。
【００３３】
図２では、この状態から表示領域位置設定スライダー１１１を左方へ移動し、表示領域位置設定スライダー１１３を右方へ移動してそれぞれの領域でスキー競技者が中央に表示されるように設定された様子を表している。
【００３４】
ロケートスライダー１０５は、この表示画面に表示されているメイントラックのフレームとインサートトラックのフレームを同時に移動することができる操作子で、同様にノブ部をマウスでクリックしドラッグすることにより操作される。このノブを左に移動すると、早い時刻のフレームが選択され、右に移動すると遅い時刻のフレームが選択され、表示される。
【００３５】
メイントラックのフレームに対して同期して表示されるインサートトラックのフレームを変更する場合には、インサートトラックフレーム後退ボタン１０８またはインサートトラックフレーム前進ボタン１０９を操作する。これらのボタンを操作すると、メイントラックのフレームはそのままで、インサートトラックのフレームが後退または前進する。
【００３６】
再生開始ボタン１０３は、再生開始を指示するボタンであり、このボタンが押されると、メイントラックおよびインサートトラックは同期して現在表示しているフレームから先のフレームへ順次再生され、再生停止ボタン１０４が押されると再生が停止される。
【００３７】
任意のフレームにおいて、キーフレーム追加ボタン１０６が押されると、そのとき表示されているメイントラックのフレーム番号に対応して、同期するインサートトラックのフレーム番号と、後述する分割モードと、合成画面上の分割領域の形状を示すパラメータＭＰおよびトラック画面上の表示領域の位置を示すパラメータＡ、ＢとをＲＡＭ１３に設定されたキーフレーム記憶領域に記憶する。再生が開始された場合には、このメモリを参照し、合成画面を分割してそれぞれの分割領域に各トラックの映像を表示する。
【００３８】
合成画面を分割する方式（分割モード）は、モード設定コンボボックス１１０の三角形が表示されているアイコンにマウスによりカーソルを合わせ、表示されるプルダウンメニューの中から選択することにより選択設定する。
【００３９】
分割モードには、分割しないモード０、合成画面を左右２画面に分割し左側にインサートトラックを表示し、右側にメイントラックを表示するモード１、合成画面を左右２画面に分割し左側にメイントラックを表示し、右側にインサートトラックを表示するモード２、合成画面を上下２画面に分割し上側にインサートトラックを表示し、下側にメイントラックを表示するモード３（図５参照）、合成画面を上下２画面に分割し上側にメイントラックを表示し、下側にインサートトラックを表示するモード４、合成画面の４隅のいずれかに縦横比３：４の小領域（ボックス）を形成するモード（ボックスモード）であって、合成画面の左上にボックスを形成するモード５、同じく右上に形成するモード６、同じく左下に形成するモード７（図６参照）、同じく右下に形成するモード８がある。
【００４０】
つぎにＦｉｘボタン１０７について説明する。モード設定コンボボックス１１０により分割モードを選択し、分割点設定スライダー１０２により分割領域の形状が設定される。この設定された形状の領域にトラックの映像のうちいずれの領域を表示するかを表示領域設定スライダー１１１、１１３により設定することができるが、場合によっては、トラック映像の表示領域を映像が存在しない位置に設定することがある。
【００４１】
図４は、インサートトラックの表示領域設定スライダー１１３を右方に移動した場合の合成画面１０１とインサートトラック画面１１４とを示すもので、インサートトラック画面１１４に示すように、トラック表示領域の右端に、トラック画像が存在しない部分Ｃが含まれる。その結果合成画面１０１の分割点の左に画像が表示されない無映像部分Ｄが現れる。
【００４２】
このような状態を許容する場合には、Ｆｉｘボタン１０７をオフに設定し、この無映像部分が表示されないようにする場合には、Ｆｉｘボタン１０７をオンに設定する。Ｆｉｘボタン１０７をオンに設定した場合には、トラック表示領域設定スライダーを移動しても無映像部分を含まないように制御される。
【００４３】
モード１の場合について説明する。メイントラック表示画面１１２およびインサートトラック表示画面１１４の横方向の座標を、画面の左端を０、右端を１．０、メイントラック表示画面１１２の合成画面１０１に表示される表示領域の左端の座標をＭａｉｎＬｅｆｔ、右端をＭａｉｎＲｉｇｈｔ、インサートトラック表示画面１１４の合成画面１０１に表示される表示領域の左端の座標をＩｎｓｅｒｔＬｅｆｔ、右端をＩｎｓｅｒｔＲｉｇｈｔとすると、
ＭａｉｎＬｅｆｔ＝ＭＰ＋Ａ
ＭａｉｎＲｉｇｈｔ＝１＋Ａ
ＩｎｓｅｒｔＬｅｆｔ＝Ｂ
ＩｎｓｅｒｔＲｉｇｈｔ＝ＭＰ＋Ｂ
である。
【００４４】
Ｆｉｘボタン１０７がオンの場合には、ＭａｉｎＬｅｆｔまたはＩｎｓｅｒｔＬｅｆｔの値が負にならないように、ＭａｉｎＲｉｇｈｔまたはＩｎｓｅｒｔＲｉｇｈｔの値が１．０を越えないように制限する。即ち、
−ＭＰ≦Ａ≦０
０≦Ｂ≦１−ＭＰ
の範囲となるようにＡおよびＢを制限する。
【００４５】
したがって、表示領域位置設定スライダー１１１を操作しても、無映像部分が含まれる場合には、パラメータＡは、変更されない。同様に、表示領域位置設定スライダー１１２操作しても無映像部分が含まれる場合には、パラメータＢは、変更されない。また、分割領域位置設定スライダー１０２が操作されることにより無映像部分が含まれる場合には、パラメータＡまたはＢを変更し表示領域が変更され、トラック画面上の領域が変更されるとともに、スライダーの位置も変更される。
【００４６】
図５は、合成画面を上下に分割するモード３が選択された場合の編集画面を示すもので、このモードでは、合成画面１０１の右側に上下にスライドさせることができる分割点設定スライダー１１６が表示され、同様にインサートトラックの表示画面の右側に上下にスライドさせることができる表示領域位置設定スライダー１１５が、メイントラックの表示画面の右側に表示領域位置設定スライダー１１７が表示される。他のアイコン類は、図２の場合と同一である。
【００４７】
このモードでは、分割領域位置設定スライダー１１６によりパラメータＭＰが、表示領域位置設定スライダー１１７によりパラメータＡが、表示領域位置設定スライダー１１５によりパラメータＢが設定される。
【００４８】
図６は、ボックスモードのモード７が選択された場合の編集画面を示すもので、このモードでは、合成画面１０１の下側に左右にスライドさせることができる分割領域位置設定スライダー１０２が表示され、このスライダーを変更することにより小画面の横幅が変更されると同時に、この小画面の縦横比が一定になるように縦幅も変更される。このモードでは、小画面にはインサートトラックの映像が表示され、インサートトラックの画面の下側に左右にスライドさせることができる表示領域位置設定スライダー１１３と、インサートトラックの画面の右側に上下にスライドさせることができる表示領域位置設定スライダー１１５とが表示され、これら２つのスライダーによりインサートトラックの画面のうちいずれの部分を小画面に表示するかを設定することができる。
【００４９】
このモードでは、分割領域位置設定スライダー１０２によりパラメータＭＰが、表示領域位置設定スライダー１１３によりパラメータＡが、表示領域位置設定スライダー１１５によりパラメータＢがそれぞれ設定される。
【００５０】
次に、ＣＰＵ１１が実行するメイン処理について、図７に示すフローチャートを参照して説明する。この処理は、映像編集装置１の電源が投入されることにより起動され、電源が切断されるまで実行される。
【００５１】
まず、各種レジスタ等をクリアする初期設定を行う（Ｓ１０）。この状態では、メイントラックおよびインサートトラックそれぞれが記憶されているトラックのいずれかに設定されているものとする。また、モードは１に、メイントラックおよびインサートトラックのフレームはそれぞれ０フレームが設定され、分割点設定スライダー１０２、表示領域位置設定スライダー１１１、表示領域位置設定スライダー１１３は、中央位置に設定されているものとする。
【００５２】
次に、フレームが設定変更されたか否かを判断する（Ｓ１２）。すなわち、ロケートスライダー１０５またはインサートトラックフレーム前進ボタン１０９またはインサートトラックフレーム後退ボタン１０８が操作されたか否かを判断する処理でいずれかが操作された場合は（Ｓ１２：Ｙｅｓ）、操作に対応する処理を行う（Ｓ１４）。すなわちロケートスライダー１０５が操作された場合は、操作位置に応じてメイントラックのフレーム番号を変更し、変更した量と同じ量だけインサートトラックのフレーム番号を変更して所定のレジスタに記憶する。インサートトラックフレーム前進ボタン１０９またはインサートトラックフレーム後退ボタン１０８が操作された場合は、インサートトラックのフレーム番号だけを変更し、所定のレジスタに記憶する。
【００５３】
次に、モード設定が行われたか否かを判断する（Ｓ１６）。これは、モード設定コンボボックス１１０が操作されてモードが変更されたか否かを判断するものであり、変更された場合には、変更されたモードの番号を所定のレジスタに記憶する（Ｓ１８）。また、選択されたモードに応じて分割点設定スライダーおよび表示領域位置設定スライダーを所定の位置に表示する。
【００５４】
次に、スプリットパラメータが変更されたか否かを判断する（Ｓ２０）。これは、分割点設定スライダーまたは表示領域位置設定スライダーのいずれかが操作されたか否かを判断するものである。いずれかが操作された場合には、対応するパラメータを記憶しているレジスタの値を変更する（Ｓ２２）。このとき、Ｆｉｘボタンがオンであれば、無映像部分が表示されないように値に制限がかけられる。
【００５５】
次に、これらのレジスタに記憶された値に基づいて合成画面の分割された各領域に、各トラックの表示領域を表示するとともに、各トラックの表示画面においては、合成画面に表示される領域を表示する（Ｓ２４）。この画像合成処理においては、演算により求めた座標に基づいて各トラックから映像を切り出し、合成画面に貼り付けるとともに、各トラック表示画面においては、合成画面に表示される領域を表示する。なお、映像の表示方式がＮＴＳＣ（National Television System Comittee）方式の場合には、幅７２０ピクセル、高さ４８０ピクセルであるので、これらの値に演算した係数（ＭａｉｎＬｅｆｔなど）を乗算することにより、ピクセルを単位とする座標を求めることができる。
【００５６】
次に、キーフレーム追加ボタン１０６が押されたか否かを判断する（Ｓ２６）。キーフレーム追加ボタン１０６が押された場合は（Ｓ２６：Ｙｅｓ）現在の設定状態をメモリに追加記憶する（Ｓ２８）。
【００５７】
次に、再生ボタン１０３が押されたか否かを判断し（Ｓ３０）、再生ボタン１０３が押された場合は、再生処理を行う（Ｓ３２）。
【００５８】
図８にキーフレーム記憶領域に記憶されたキーフレームの設定例を示す。この例では、まずメイントラックの０フレームにおいて、モードが０に設定され、合成画面は、分割されずにメイントラックのみが表示されるように設定されている。
【００５９】
次に、メイントラックのフレーム番号が９０である場合には、モードが１に設定され、インサートトラックのフレーム番号が５５と同期し、分割点（ＭＰ）は、中央（値０．５）、分割領域位置設定スライダー１１１の値Ａが０、分割領域位置設定スライダー１１３の値Ｂが０．２に設定されている。次にメイントラックのフレーム番号が５００であるとき、分割点（ＭＰ）は、０．２、分割領域位置設定スライダー１１１の値Ａが−０．２、分割領域位置設定スライダー１１３の値Ｂが０．５に設定されている。
【００６０】
次に、メイントラックのフレーム番号５０１のとき、インサートトラックは、フレーム
番号６１１、モード３、分割点（ＭＰ）は、中央（０．５）、分割領域位置設定スライダー１１７の値Ａが−０．１、分割領域位置設定スライダー１１５の値Ｂが０．１に設定されている。
【００６１】
次に、再生処理について、図９に示すフローチャートを参照して説明する。まず、再生の停止を指示する停止ボタン１０４が操作されたか否かを判断する（Ｓ４０）。再生の停止が指示された場合は（Ｓ４０：Ｙｅｓ）は、この再生処理を終了する。
【００６２】
再生の停止が指示されていない場合は（Ｓ４０：Ｎｏ）、再生フレーム番号を１進める（Ｓ４２）。ただし、再生開始ボタン１０３が押されて再生の開始が指示された直後は、再生フレーム番号を０に設定する。次に、キーフレーム記憶領域を参照し、現在の再生フレーム番号が、キーフレーム記憶領域に記憶されている最後のキーフレームのメイントラックのフレーム番号より大きいか否かを判断する（Ｓ４４）。現在の再生フレーム番号が、キーフレーム記憶領域に記憶されている最後のキーフレームのメイントラックのフレーム番号より大きい場合は（Ｓ４４：Ｙｅｓ）、再生処理を終了する。
【００６３】
再生の終了ではない場合は（Ｓ４４：Ｎｏ）、現在のモードが０か否かを判断する（Ｓ４５）。現在のモードが０の場合は（Ｓ４５：Ｙｅｓ）、処理Ｓ４８へ進み、現在のモードが０以外の場合は、補間演算により現在の分割点と各トラックの表示領域を求める（Ｓ４６）。この補間演算は、つぎのようにして行われる。合成を行う区間の最初のフレーム番号を始点フレームＦｓとし、最後のフレームを終点フレームＦｅとする。図８に示される例では、始点フレームＦｓが、９０、終点フレームＦｅが５００である。
【００６４】
始点フレームにおける分割点の値をＭＰｓ、パラメータＡをＡｓ，パラメータＢをＢｓ終点フレームにおける分割点の値をＭＰｅ、パラメータＡをＡｅ、パラメータＢをＢｅとし、始点フレームからｎ番目のフレームのＭＰｎ、Ａｎ、Ｂｎは、
ＭＰｎ＝ｎ×（ＭＰｅ−ＭＰｓ）／（Ｆｅ−Ｆｓ）＋ＭＰｓ
Ａｎ＝ｎ×（Ａｅ−Ａｓ）／（Ｆｅ−Ｆｓ）＋Ａｓ
Ｂｎ＝ｎ×（Ｂｅ−Ｂｓ）／（Ｆｅ−Ｆｓ）＋Ｂｓ
として求める。
【００６５】
Ｓ４８の合成処理は、上記のようにして決定されたパラメータに基づいて映像を合成して合成画面に表示するとともに、映像信号インターフェース１６からビデオ信号として出力する。
【００６６】
なお、請求項１に記載の分割領域形状設定ステップは、Ｓ１８のモード設定処理とＳ２０の処理のうち分割点設定スライダーにより設定される分割点の設定が該当し、トラック表示領域設定ステップは、Ｓ２０の処理のうち表示領域位置設定スライダーによる表示領域の位置の設定が該当し、合成画面表示ステップおよびトラック画面表示ステップは、Ｓ２４の処理が該当する。
【００６７】
請求項４に記載のフレーム指定ステップは、Ｓ１４の処理のうち、インサートトラックフレーム前進ボタン１０９またはインサートトラックフレーム後退ボタン１０８により設定されるインサートトラックフレームの設定処理が該当する。
【００６８】
請求項５に記載の記憶ステップは、Ｓ２８の処理が該当し、合成ステップは、Ｓ４６およびＳ４８の処理が該当する。
【００６９】
請求項７に記載の制御ステップは、図示はしないがＦｉｘボタン１０７がオンの場合や、合成処理において、無映像部分が表示されないように行う処理が該当する。
【００７０】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００７１】
例えば、上記実施例では、一つの表示器の画面上に合成画面とメイントラック画面とインサート画面とを形成するものとしたが、それぞれの画面をそれぞれの表示器の画面に表示するようにしてもよい。
【００７２】
また、上記実施例では、キーフレームを設定する場合、所定のフレームにおいて、ＭＰ、Ａ、Ｂの３つのパラメータを同時に設定するものとしたが、これらのパラメータのうちいずれかのパラメータのみを設定し、他のパラメータは、他のキーフレームにおいて設定された値により補間演算されるようにしてもよい。このようにした場合、あるいはキーフレームを設定する場合に、Ｆｉｘボタンをオフに設定していた場合には、再生時に無映像部分が表示される可能性がある。従って、再生時においてＦｉｘボタンがオンに設定されている場合には、合成画面に無映像部分が含まれないよう補間演算後の各パラメータの値を制限するようにしてもよい。
【００７３】
また、上記実施例では、メイントラックとインサートトラックは、予め設定されているものとしたが、任意にそれぞれを選択するようにしてもよい。その場合には、キーフレームとして、メイントラックは、いずれのトラックか、インサートトラックは、いずれのトラックかを記憶するようにすればよい。
【００７４】
また、上記実施例では、各トラックに記録された映像から切り出して、合成画面に表示するように構成したが。各トラックに記録された映像を拡大、または縮小してから切り出して合成画面に表示するようにしてもよい。
【００７５】
また、上記実施例では、合成画面において、四隅に縦横比が設定されている長方形の小画面を形成する場合について説明したが、この長方形の小画面を合成画面の任意の位置に配置したり、縦横比を任意に設定したりすることができるようにしてもよい。また、この小画面の形状を長方形に代えて、円形や任意の形状にしてもよい。
【００７６】
また、上記実施例では、例えば、モード１では、メイントラックの表示領域位置設定スライダーを中央に設定している場合は、合成画面において分割された右側の領域に、メイントラックの右側の領域が表示されるように表示領域が設定されたが、表示領域位置設定スライダーを中央に設定している場合は、表示領域をトラック画面の中央に設定するようにしてもよい。
【００７７】
また、上記実施例では、別々のトラックに記録されている映像をそれぞれ分割領域に表示するものとしたが、一つのトラックに記録されている映像の一部と、他の一部とをそれぞれの分割領域に表示してもよい。
【００７８】
また、上記実施例では、分割領域位置設定スライダー１０２が操作されることにより無映像部分が含まれる場合には、パラメータＡまたはＢを変更し表示領域が変更されるものとしたが、パラメータＡまたはＢに応じてパラメータＭＰを設定するようにしてもよい。
【００７９】
また、上記実施例では、合成画面上で分割点により分割領域形状を決め、トラック画面上で領域の位置を指示してトラック表示領域を設定したが、合成画面上のある領域内の画像をドラッグしてトラックの表示領域を決める（移動させる）ようにしてもよい。
【００８０】
また、逆にトラック画面上で幅や対角線などを指定することにより分割領域形状を決めるようにしてもよい。これらの場合には、操作に応じて分割点や領域の位置を設定するスライダは対応した指示位置に移動するのが好ましい。
【００８１】
また、上記実施例では、２つのキーフレームを設定し、その間のフレームについて、補間によりトラック画面の表示領域を設定したが、表示領域の設定は、周知の移動体追跡アルゴリズムを利用してもよい。
【図面の簡単な説明】
【００８２】
【図１】本発明による映像編集装置の電気的な構成を示すブロック図である。
【図２】編集画面を示す図である。
【図３】編集画面において、表示領域の位置を示す図である。
【図４】編集画面において、無映像部分が表示される例を示す図である。
【図５】上下に分割するモードの編集画面を示す図である。
【図６】ボックスモードの編集画面を示す図である。
【図７】メイン処理を示すフローチャートである。
【図８】キーフレーム記憶領域を示す図である。
【図９】再生処理を示すフローチャートである。
【符号の説明】
【００８３】
１１                  ＣＰＵ
１２                  ＲＯＭ
１３                  ＲＡＭ
２４                  表示器
１０１                合成画面
１０２                分割点設定スライダー
１０５                ロケートスライダー
１０６                キーフレーム追加ボタン
１０７                Ｆｉｘボタン
１０８                インサートトラックフレーム後退ボタン
１０９                インサートトラックフレーム前進ボタン
１１１、１１３        表示領域位置設定スライダー
１１２                メイントラック表示画面
１１４                インサートトラック表示画面
【図１】
2005303932.tif 000003
【図２】
2005303932.tif 000004
【図３】
2005303932.tif 000005
【図４】
2005303932.tif 000006
【図５】
2005303932.tif 000007
【図６】
2005303932.tif 000008
【図７】
2005303932.tif 000009
【図８】
2005303932.tif 000010
【図９】
2005303932.tif 000011